(57)【要約】      （修正有）【課題】再梱包時の梱包作業性を大幅に改善するするとともに、外観上見栄えを悪化させることのない梱包箱を提供すること。【解決手段】上梱包箱と下梱包箱と緩衝材から構成される梱包箱であって、上梱包箱１は内フラップ８を有し、内フラップ８は切込み部と折れ線部１１とを有する折り曲げ部を少なくとも一つ含み、折り曲げ部は折れ線部１１で折り曲げられ、緩衝材は、上梱包箱１と少なくとも三面で接するとともに折り曲げ部と嵌合し、緩衝材を固定することを特徴とする。【選択図】図１
2008062969.tif 000002
【特許請求の範囲】
【請求項１】
上梱包箱と下梱包箱と緩衝材から構成される梱包箱であって、
前記上梱包箱は内フラップを有し、
前記内フラップは切込み部と折れ線部とを有する折り曲げ部を少なくとも一つ含み、
前記折り曲げ部は前記折れ線部で折り曲げられ、
前記緩衝材は、前記上梱包箱と少なくとも三面で接するとともに前記折り曲げ部と嵌合し、前記緩衝材を固定することを特徴とする梱包箱。
【請求項２】
前記折り曲げ部は鍵形形状であることを特徴とする請求項１に記載の梱包箱。
【請求項３】
前記折り曲げ部は前記折れ線部を短辺とする台形形状であることを特徴とする請求項１に記載の梱包箱。
【発明の詳細な説明】
【技術分野】
【０００１】
本発明は、製品を梱包する梱包箱に関するものである。
【背景技術】
【０００２】
一般に、製品等の被包装物を梱包する場合、被包装物を保護するために発泡スチロール等からなる緩衝材を梱包箱内に配置して製品を梱包するが、被包装物品を梱包するとき、緩衝材の位置がずれてスムーズに梱包できないと言った問題があった。また、梱包した被包装物を取り出すとき緩衝材が被包装物と一緒についてくる為に、取り出し難いと言った問題があった。
【０００３】
この課題に対する対策とし、梱包箱に緩衝材を固定でき、尚且つ被包装物品を取り出すとき緩衝材が一緒に取り出されることのない方法が提案されている（例えば特許文献１乃至３参照）。
【０００４】
近年、テレビ等の映像機器は画面サイズが大型の物が増えてきている。それに伴い梱包箱も単純な箱形状から、開梱しやすい２ピース式の梱包箱を採用するケースが増えてきている。
【０００５】
図５は２ピース式の梱包箱の実施例である。図５において１は上梱包箱、２は下梱包箱、３はジョイント、４は被包装物、５は下緩衝材、６は上緩衝材である。被包装物４を梱包する場合は、まず下梱包箱２に下緩衝材５を置き、その後被包装物４を置く。更に上梱包箱１を被せジョイント３で上梱包箱１と下梱包箱２を連結する。最後に上緩衝材６を乗せて上梱包箱１の蓋をテープ等で封印するといった作業となる。
【０００６】
被包装物４を開梱する場合はジョイント３を外し、上梱包箱１を取り除く事により容易に被包装物４を取り出す事が出来る。
【特許文献１】実開平５−４６７２３号公報
【特許文献２】特開平７−２４２２３３号公報
【特許文献３】特開平１０−１４７３３４号公報
【発明の開示】
【発明が解決しようとする課題】
【０００７】
しかしながら従来の梱包箱において再梱包する場合は、上梱包箱の蓋が封印されている状態である為、初めに梱包する場合と手順が異なる。下梱包箱に下緩衝材を置き、その後被包装物を置くまでは同じであるが、上梱包箱の蓋が封印されている為、上緩衝材を被包装物に乗せた後に上梱包箱を被せなくてはならない。この場合、上緩衝材の固定が出来ない為に上梱包箱を被せる事が非常に困難であった。被包装物の形状によっては上緩衝材の座りが悪く再梱包が不可能となる。その解決法として従来までの緩衝材固定方法を用いて上梱包箱に上緩衝材を固定しようとしても、上梱包箱を被せる段階で上緩衝材が重力による落下方向に向くので、上緩衝材が上梱包箱から外れる恐れが出てくる為、完全な対応とは言えない。更に梱包箱に切り起しが付いているものも有り、外観上見栄えが悪い。
【０００８】
本発明は再梱包時の梱包作業性を大幅に改善するとともに、外観上見栄えを悪化させることのない梱包箱を提供するものである。
【課題を解決するための手段】
【０００９】
上記の課題を解決する為に本発明の梱包箱は上梱包箱と下梱包箱と緩衝材から構成される梱包箱であって、前記上梱包箱は内フラップを有し、前記内フラップは切込み部と折れ線部とを有する折り曲げ部を少なくとも一つ含み、前記折り曲げ部は前記折れ線部で折り曲げられ、前記緩衝材は、前記上梱包箱と少なくとも三面で接するとともに前記折り曲げ部と嵌合し、前記緩衝材を固定することを特徴とする。
【発明の効果】
【００１０】
本発明の梱包箱によれば、再梱包時の梱包作業性を大幅に改善する事ができ、更に外観上の見栄えには影響しない。
【発明を実施するための最良の形態】
【００１１】
本発明は梱包箱に緩衝材を引掛ける事の出来る形状、緩衝材にはそれを受け止める事が出来る形状を採用した。これにより再梱包時の梱包作業性を大幅に改善する事が出き、尚且つ外観上の見栄えには影響しないものである。
【００１２】
（実施の形態１）
図１、図２、及び図３は、本発明の梱包箱の一実施例である。図１は本実施の形態における梱包箱を示す斜視図、図２は本実施の形態における梱包箱の緩衝材を示す斜視図、図３は本実施の形態における梱包箱の緩衝材を示す断面図である。図３（ａ）は図３（ｂ）の矢印方向の断面図である。
【００１３】
図４は本発明の梱包箱の他の実施の形態の一例である。
【００１４】
図１において７は上梱包箱、８は内フラップ、９は外フラップ、１０は鍵形状、１１は折れ線部である。上梱包箱７は内フラップ８に鍵形状折り曲げ部１０及び折れ線部１１を有する。内フラップ８は梱包を完了した際に、外フラップ９に隠される為に外観から見えない。鍵形状折り曲げ部１０は長い孔１０ａと短い孔１０ｂが結合した形状である事に特徴がある。
【００１５】
図２において１２は上緩衝材、１３は鍵穴形状である。上緩衝材１２は鍵穴形状１３を有する。鍵穴形状１３は長い孔１３ａと短い孔１３ｂが結合した形状である事に特徴がある。鍵形状折り曲げ部１０と鍵穴形状１３はお互いに嵌まり合う形状をしており、図３の様に一度嵌まると重力の掛かる鉛直方向には絶対に外れない。
【００１６】
図４において１４は台形穴形状、１５は台形形状である。鍵形状折り曲げ部１０と鍵穴形状１３は鍵形状でなくとも台形穴形状１４、台形形状折り曲げ部１５の様にお互いに嵌まり合う形状をしており、尚且つ一度嵌まると重力の掛かる鉛直方向には絶対に外れない形状であれば何でも良い。
【００１７】
以上のように構成された梱包箱について、以下その動作について説明する。
【００１８】
被包装物４を梱包する場合、下梱包箱２に下緩衝材５を置き、その後被包装物４を置き、更に上梱包箱７を被せジョイント３で上梱包箱７と下梱包箱２を連結する。その後、上緩衝材１２を乗せ、内フラップ８を閉じる際に折れ線部１１を基点に鍵形状折り曲げ部１０を図３の矢印の方向に折り曲げておく。折り曲げた鍵形状折り曲げ部１０を上緩衝材１２の鍵穴形状１３へ入れる。鍵穴形状１３へ入れた鍵形状折り曲げ部１０は、折れ線部１１を基点に図３の矢印の方向へ復元しようと反発する事でしっかりと嵌合する。その後、外フラップ９を閉じてテープ等で封印する。この状態で上緩衝材１２は下側に受けが無い状態でも重力による落下が出来ず、またあらゆる方向について固定されているので上梱包箱７から外れる事は無い。また、上梱包箱の鍵形状は内フラップに設けているので外観上の見栄えに影響しない。
【００１９】
被包装物４を開梱した後に再梱包する場合は、上梱包箱７には上緩衝材１２が固定されているので、上梱包箱７を被せるだけで再梱包が可能となる。
【００２０】
これにより再梱包時の梱包作業性を大幅に改善する事が出来き、尚且つ外観上の見栄えには影響しないものである。
【産業上の利用可能性】
【００２１】
本発明の梱包箱は、再梱包時の梱包作業性の大幅改善できるため、製品等の被包装物を梱包する梱包箱として有用である。
【図面の簡単な説明】
【００２２】
【図１】本発明の実施の形態１における梱包箱を示す斜視図
【図２】本発明の実施の形態１における梱包箱の緩衝材を示す斜視図
【図３】本発明の実施の形態１における梱包箱の緩衝材を示す断面図
【図４】本発明の実施の形態１における梱包箱の他の形態の一例を示す断面図
【図５】従来技術の梱包箱の一例を示す図
【符号の説明】
【００２３】
１    上梱包箱
２    下梱包箱
３    ジョイント
４    被包装物
５    下緩衝材
６    上緩衝材
７    上梱包箱
８    内フラップ
９    外フラップ
１０    鍵形状折り曲げ部
１１    折れ線部
１２    上緩衝材
１３    鍵穴形状
１４    台形穴形状
１５    台形形状折り曲げ部
【図１】
2008062969.tif 000003
【図２】
2008062969.tif 000004
【図３】
2008062969.tif 000005
【図４】
2008062969.tif 000006
【図５】
2008062969.tif 000007